(57)【要約】【課題】マッサージ椅子に於て、簡素、且つ、安価な構成で、迅速、且つ、信頼性の高い肩位置検出を可能にする。【解決手段】本発明は、座部３と背もたれ部２を有し、該背もたれ部２に施療子を設けたマッサージ椅子１に於て、被治療者が着座した時の肩位置近傍の前記背もたれ部２に、複数のスイッチ７，７…が所定間隔離間して長手方向に配設されたスイッチユニット８を、該スイッチユニット８の長手方向が該背もたれ部２の上下方向となるように配設し、被治療者の背中によって押圧される前記スイッチ７，７…の出力に基づき、被治療者の肩位置を検出するように構成したマッサージ椅子を提供する。【選択図】  図１
2004201927.tif 000002
【特許請求の範囲】
【請求項１】
座部と背もたれ部を有し、該背もたれ部に施療子を設けたマッサージ椅子に於て、被治療者が着座した時の肩位置近傍の前記背もたれ部に、複数のスイッチが所定間隔離間して長手方向に配設されたスイッチユニットを、該スイッチユニットの長手方向が該背もたれ部の上下方向となるように配設し、被治療者の背中によって押圧される前記スイッチの出力に基づき、被治療者の肩位置を検出するように構成したことを特徴とするマッサージ椅子。
【請求項２】
上記スイッチユニットは基板に複数のスイッチが互いに所定間隔離間して配設され、且つ、該複数のスイッチに所定間隔離間して対峙する複数の押圧部を備えた可撓性の押圧板が設けられて成ることを特徴とする請求項１記載のマッサージ椅子。
【請求項３】
上記スイッチはタクトスイッチであることを特徴とする請求項１又は２記載のマッサージ椅子。
【請求項４】
上記スイッチユニットは背もたれ部の前部に内装される緩衝材内に埋設されることを特徴とする請求項１，２又は３記載のマッサージ椅子。
【請求項５】
上記複数のスイッチの配列ピッチは約２０ｍｍであることを特徴とする請求項１，２，３又は４記載のマッサージ椅子。
【請求項６】
上記複数のスイッチの配列長は約３００ｍｍであることを特徴とする請求項１，２，３，４又は５記載のマッサージ椅子。
【請求項７】
被治療者の背中によって押圧される上記スイッチの最上段スイッチ位置の約２０乃至３０ｍｍ上方を肩位置ラインとするようにコンピュータ等によって補正することを特徴とする請求項１，２，３，４，５又は６記載のマッサージ椅子。
【請求項８】
上記スイッチユニットを被治療者が着座した時の右肩位置近傍、又は、左肩位置近傍の何れか一方の上記背もたれ部に配設したことを特徴とする請求項１，２，３，４，５，６又は７記載のマッサージ椅子。
【請求項９】
上記スイッチユニットを被治療者が着座した時の右肩位置近傍、及び、左肩位置近傍の双方の上記背もたれ部に配設したことを特徴とする請求項１，２，３，４，５，６又は７記載のマッサージ椅子。
【発明の詳細な説明】
【０００１】
【発明の属する技術分野】
この発明は、マッサージ椅子に関するものであり、特に、座部と背もたれ部を有し、該背もたれ部に施療子を設けたマッサージ椅子であって、被治療者の肩位置を検出可能としたマッサージ椅子に関するものである。
【０００２】
【従来の技術】
従来の此種マッサージ椅子は、該マッサージ椅子に組み込まれた施療子が、被治療者の首位置、又は、肩位置から腰位置までの設定された範囲を自動的に往復移動して自動的にマッサージを行うように構成されており、その往復移動範囲を決めるため、被治療者の肩位置を自動検出する手段を備えたマッサージ椅子が幾つか知られている。
【０００３】
例えば、施療子にかかる負荷で肩の位置を検出するマッサージ椅子が知られている（例えば、特許文献１、及び、特許文献２参照。）。
又、施療子が取り付けられた支持アームが所定の揺動範囲になることを検出し、これにより、肩位置を検出するマッサージ椅子も知られている（例えば、特許文献３参照。）。
【０００４】
更に、施療台に静電容量検出手段を有し、この検出結果に基づき人の存否、及び、肩位置検出の特定を行うマッサージ椅子も知られている（例えば、特許文献４参照。）。
【０００５】
【特許文献１】
特開昭６３−２５７５６７号公報  （第１−８頁、第１−１５図）
【０００６】
【特許文献２】
特開平６−１９００１２号公報  （第１−７頁、第１−２６図）
【０００７】
【特許文献３】
特開２００１−２３８９２７号公報  （第１−１０頁、第１−１９図）
【０００８】
【特許文献４】
特開平１１−４２２６３号公報  （第１−５頁、第１−４図）
【０００９】
【発明が解決しようとする課題】
上記従来例の被治療者の肩位置を自動検出するマッサージ椅子に於て、施療子にかかる負荷で被治療者の肩の位置を検出するように構成されたマッサージ椅子、又は、施療子が取り付けられた支持アームが所定の揺動範囲になることを検出し、これにより、被治療者の肩位置を検出するように構成されたマッサージ椅子は、マッサージユニットに備えられた施療子、又は、該施療子を取付けた支持アーム等に肩位置検出手段を設けるので、該マッサージユニットの構造が複雑になるという問題がある。
【００１０】
又、施療子を少なくとも１回は上下方向に移動させないと肩位置が検出できないため、検出に時間がかかるという問題がある。
更に、他のマッサージ椅子として、施療台に静電容量検出手段を有し、この検出結果に基づき人の存否、及び、肩位置検出の特定を行うマッサージ椅子は、該静電容量検出手段が比較的高価であり、コスト高となる虞がある。
【００１１】
そこで、マッサージ椅子に於て、安価な構成で、迅速、且つ、信頼性の高い肩位置検出を可能にするために解決すべき技術的課題が生じてくるのであり、本発明はこの課題を解決することを目的とする。
【００１２】
【課題を解決するための手段】
本発明は上記目的を達成するために提案されたものであり、座部と背もたれ部を有し、該背もたれ部に施療子を設けたマッサージ椅子に於て、被治療者が着座した時の肩位置近傍の前記背もたれ部に、複数のスイッチが所定間隔離間して長手方向に配設されたスイッチユニットを、該スイッチユニットの長手方向が該背もたれ部の上下方向となるように配設し、被治療者の背中によって押圧される前記スイッチの出力に基づき、被治療者の肩位置を検出するように構成したマッサージ椅子、
及び、上記スイッチユニットは基板に複数のスイッチが互いに所定間隔離間して配設され、且つ、該複数のスイッチに所定間隔離間して対峙する複数の押圧部を備えた可撓性の押圧板が設けられて成るマッサージ椅子、
及び、上記スイッチはタクトスイッチであるマッサージ椅子、
及び、上記スイッチユニットは背もたれ部の前部に内装される緩衝材内に埋設されるマッサージ椅子、
及び、上記複数のスイッチの配列ピッチは約２０ｍｍであるマッサージ椅子、
及び、上記複数のスイッチの配列長は約３００ｍｍであるマッサージ椅子、
及び、被治療者の背中によって押圧される上記スイッチの最上段スイッチ位置の約２０乃至３０ｍｍ上方を肩位置ラインとするようにコンピュータ等によって補正するマッサージ椅子、
及び、上記スイッチユニットを被治療者が着座した時の右肩位置近傍、又は、左肩位置近傍の何れか一方の上記背もたれ部に配設したマッサージ椅子、
並びに、上記スイッチユニットを被治療者が着座した時の右肩位置近傍、及び、左肩位置近傍の双方の上記背もたれ部に配設したマッサージ椅子を提供するものである。
【００１３】
【発明の実施の形態】
以下、本発明の一実施の形態を図１及び図２に従って詳述する。図１に於て、１はマッサージ椅子であり、該マッサージ椅子１は施療子（図示せず）等のマッサージユニット（図示せず）が内部に組み込まれた背もたれ部２と、座部３と、フットレスト部４と、肘掛部５と、脚部６とを備え、リクライニング自在となっている。
【００１４】
更に、前記マッサージ椅子１に被治療者が着座した時、該被治療者の左肩位置近傍又は右肩位置近傍の何れか一方の前記背もたれ部２内に、複数のスイッチ７，７…が所定間隔離間して長手方向一列に配設されたスイッチユニット８が設けられ、且つ、該スイッチユニット８は該スイッチユニット８の長手方向が前記背もたれ部２の上下方向になるように配設されている。
【００１５】
そして、該スイッチユニット８は、図２に示す如く、長板状の印刷基板９前面の長手方向にタクトスイッチ等の複数のスイッチ７，７…が互いに所定間隔離間して一列に配設され、且つ、該複数のスイッチ７，７…に所定間隔離間して対峙する複数の押圧部１０，１０…を備えた可撓性の押圧板１１が設けられている。
【００１６】
更に、前記複数のスイッチ７，７…の配列ピッチＰは約２０ｍｍ、両端スイッチ７，７間距離である配列長Ｌは約３００ｍｍに設定されている。
尚、該配列ピッチＰ、及び、配列長Ｌは被治療者の体格及び座高値のバラツキ分布の測定結果、並びに、実験結果に基づき前記設定値が好適であるが、該設定値に限定されるものではない。
【００１７】
又、前記印刷基板９は前面開放の略箱状の緩衝体としてのウレタン１２の底部前面に配置され、該ウレタン１２の底部前面上下部から前方に所定長さ突設するスペーサ１２ａ，１２ａ前端面に前記押圧板１１が当接され、該スペーサ１２ａ，１２ａの所定長さの突設によって該押圧板１１の押圧部１０，１０…は前記スイッチ７，７…と所定間隔離間している。そして、該ウレタン１２の後面は背枠１３に固着されている。
【００１８】
更に、前記スイッチユニット８は前記背もたれ部２の前部に内装される緩衝材としてのウレタン１４に被包される如く埋設され、該ウレタン１４はカバー１５に被包されている。
【００１９】
而して、前記マッサージ椅子１に被治療者が着座すると、被治療者の背中に押圧された前記スイッチユニット８の前記押圧板１１が撓むことにより、該押圧板１１の押圧部１０，１０…に押された前記スイッチ７，７…がＯＮし、押圧されないスイッチ７，７…がＯＦＦ状態に維持されることにより、被治療者の背中位置が検出され、この検出結果に基づき、図示しないコンピュータ等によって、ＯＮしたスイッチ７，７…の最上段スイッチ７位置の約２０乃至３０ｍｍ上方を肩位置ラインとするように補正される。
【００２０】
そして、該肩位置ラインと被治療者の推定された腰位置との間を前記施療子を備えたマッサージユニットが往復動してマッサージが行われる。
又、前記マッサージ椅子１は、肩位置が変化した場合、又は、被治療者が入れ代わった場合、その都度、迅速に肩位置を検出することができる。
【００２１】
斯くして、前記マッサージ椅子１は、前記スイッチ７，７…を配設したスイッチユニット８を用いることにより、簡素、且つ、安価な構成で、迅速、且つ、信頼性の高い肩位置検出が可能になると共に、被治療者の肩位置が変動しても、その都度、肩位置の自動検出が行える。
【００２２】
又、該マッサージ椅子１の前記スイッチユニット８は肩位置検出することによって、同時に人の存在、不存在を検出でき、更に、該スイッチユニット８はマッサージユニットがどの位置にあっても該マッサージユニットに関係なく検出可能であるため、極めて迅速な検出が可能となる。
【００２３】
更に、前記スイッチ７，７…の配列ピッチを約２０ｍｍに設定し、配列長を約３００ｍｍに設定することにより、検出の信頼性を損なうことなく、スイッチ７，７…を適切な数に設定することができ、且つ、スイッチユニット８を最適な長さに設定することができる。
【００２４】
更に又、前記スイッチ７，７…の押圧された最上段スイッチ位置の約２０乃至３０ｍｍ上方を肩位置ラインとするように前記コンピュータ等により補正することにより、正確な肩位置を設定でき効果的なマッサージを行うことができる。
【００２５】
そして、前記スイッチユニット８は前記ウレタン１４に埋設されているので、該ウレタン１４によって緩衝されることにより、被治療者が違和感を感じないようにすることができる等、種々の利点がある。
【００２６】
尚、前記印刷基板９前面にタクトスイッチ等の複数のスイッチ７，７…を配設する構成は、例えば、フィルム基板へＳＭＴ（表面実装）タイプのスイッチを配設する構成にする等、同様の効果を奏するその他の構成に代えることも可能である。
【００２７】
又、図示は省略するが、前記マッサージ椅子１に被治療者が着座した時の該被治療者の左肩位置近傍、及び、右肩位置近傍の双方の前記背もたれ部２内に、前記スイッチユニット８，８を設けることも可能であり、然る時は、該被治療者の左右肩位置の検出が可能となり、該左右肩位置を前記コンピュータ等で補正することによりマッサージのための正確な肩位置検出が可能になる利点がある。
【００２８】
尚、本発明は、本発明の精神を逸脱しない限り種々の改変を為すことができ、そして、本発明が該改変されたものに及ぶことは当然である。
【００２９】
【発明の効果】
本発明は上記一実施の形態に詳述したように、請求項１記載の発明は、マッサージ椅子に於て、被治療者が着座した時の肩位置近傍の背もたれ部に、複数のスイッチが所定間隔離間して長手方向に配設されたスイッチユニットを、該スイッチユニットの長手方向が該背もたれ部の上下方向となるように配設したので、被治療者の背中によって押圧される前記スイッチの出力に基づき、被治療者の肩位置を検出することができ、安価な構成で、迅速、且つ、信頼性の高い肩位置検出が可能になると共に、被治療者の肩位置が変動しても、その都度、肩位置の自動検出が行える。
【００３０】
又、請求項２記載の発明は、上記スイッチユニットは基板に複数のスイッチが互いに所定間隔離間して配設され、且つ、該複数のスイッチに所定間隔離間して対峙する複数の押圧部を備えた押圧板が設けられて成り、請求項１記載の発明の効果に加え、スイッチユニットを簡易に構成できる。
【００３１】
更に、請求項３記載の発明は、上記スイッチはタクトスイッチであるので、請求項１又は２記載の発明の効果に加え、スイッチが安価であり、スイッチユニットのコストダウンに寄与できる。
【００３２】
更に又、請求項４記載の発明は、上記スイッチユニットは背もたれ部の前部に内装される緩衝材内に埋設されるので、請求項１，２又は３記載の発明の効果に加え、前記スイッチユニットが前記緩衝材によって緩衝され、被治療者が違和感を感じないようにすることができる。
【００３３】
そして、請求項５記載の発明は、上記複数のスイッチの配列ピッチは約２０ｍｍであるので、請求項１，２，３又は４記載の発明の効果に加え、該配列ピッチによって検出の信頼性を損なうことなく、スイッチを適切な数に設定することができる。
【００３４】
又、請求項６記載の発明は、上記複数のスイッチの配列長は約３００ｍｍであるので、請求項１，２，３，４又は５記載の発明の効果に加え、該配列長によって検出の信頼性を損なうことなく、スイッチを適切な数に設定することができると共に、スイッチユニットを最適な長さに設定することができる。
【００３５】
更に、請求項７記載の発明は、被治療者の背中によって押圧される上記スイッチの最上段スイッチ位置の約２０乃至３０ｍｍ上方を肩位置ラインとするようにコンピュータ等によって補正するので、請求項１，２，３，４，５又は６記載の発明の効果に加え、正確な肩位置を設定でき、効果的なマッサージを行うことが可能となる。
【００３６】
更に又、請求項８記載の発明は、上記スイッチユニットを被治療者が着座した時の右肩位置近傍、又は、左肩位置近傍の何れか一方の上記背もたれ部に配設したので、請求項１，２，３，４，５，６又は７記載の発明の効果に加え、右肩位置、又は、左肩位置の何れか一方の検出が可能である。
【００３７】
そして、請求項９記載の発明は、上記スイッチユニットを被治療者が着座した時の右肩位置近傍、及び、左肩位置近傍の双方に配設したので、請求項１，２，３，４，５，６又は７記載の発明の効果に加え、左右肩位置双方の検出が可能となり、該左右肩位置をコンピュータ等で補正することによりマッサージのための正確な肩位置検出が可能になる等、正に著大なる効果を奏する発明である。
【図面の簡単な説明】
【図１】本発明の一実施の形態を示し、マッサージ椅子の斜視図。
【図２】図１に示すマッサージユニットの縦断断面図。
【符号の説明】
１          マッサージ椅子
２          背もたれ部
３          座部
７          スイッチ
８          スイッチユニット
１０          押圧部
１１          押圧板
【図１】
2004201927.tif 000003
【図２】
2004201927.tif 000004